(57)【要約】【課題】コンテンツの視聴を効率よく行うこと。【解決手段】本発明の情報処理装置は、コンテンツを蓄積する記憶部４と、コンテンツを取得するコンテンツ取得部２と、コンテンツ取得部２によって取得したコンテンツの視聴開始日時を設定する視聴予約設定部８と、上記視聴予約設定部８によって設定されたコンテンツの視聴開示日時と、当該コンテンツとを対応付けて上記メモリに蓄積させるコンテンツ蓄積制御部３とを備える。【選択図】図１
2013197862.tif 000002
【特許請求の範囲】
【請求項１】
コンテンツを蓄積するメモリと、
コンテンツを取得するコンテンツ取得部と、
上記コンテンツ取得部によって取得されたコンテンツの視聴開始日時を設定する視聴開始日時設定部と、
上記視聴開始日時設定部によって設定されたコンテンツの視聴開示日時と、当該コンテンツとを対応付けて上記メモリに蓄積させるコンテンツ蓄積制御部とを備えていることを特徴とする情報処理装置。
【請求項２】
上記コンテンツ蓄積制御部は、
コンテンツの視聴順を、各コンテンツに対応付けられた視聴開始日時から設定し、
新たにコンテンツの視聴開示日時が設定されたとき、上記コンテンツの視聴順を調整することを特徴とする請求項１に記載の情報処理装置。
【請求項３】
上記コンテンツ蓄積制御部は、
上記視聴開始日時設定部によって視聴開始日時が新たに設定されたコンテンツの容量が、上記メモリの蓄積残容量よりも大きいとき、上記メモリに既に蓄積されているコンテンツのうち、視聴済のコンテンツまたは視聴開始日時が少なくとも新たに設定された視聴開始日時よりも遅いコンテンツを削除することを特徴とする請求項１または２に記載の情報処理装置。
【請求項４】
さらに、コンテンツの蓄積予約の設定を行うコンテンツ蓄積予約設定部を備え、
上記コンテンツ蓄積予約設定部は、
上記視聴開始日時設定部によってコンテンツの視聴開始日時が設定されると、当該コンテンツの蓄積予約の設定を行うことを特徴とする請求項１〜３の何れか１項に記載の情報処理装置。
【請求項５】
上記視聴開始日時設定部によって設定されたコンテンツの視聴開始日時を管理する視聴予約管理部を備え、
上記視聴予約管理部は、
コンテンツの視聴開始日時になると、ユーザに対してコンテンツの視聴開始日時になったことを報知することを特徴とする請求項１〜４の何れか１項に記載の情報処理装置。
【請求項６】
コンテンツを取得するコンテンツ取得ステップと、
上記コンテンツ取得ステップにおいて取得したコンテンツの視聴開始日時を設定する視聴開始日時設定ステップと、
上記視聴開始日時設定ステップによって設定したコンテンツの視聴開示日時と、当該コンテンツとを対応付けてメモリに蓄積するコンテンツ蓄積ステップとを含んでいることを特徴とするコンテンツ蓄積方法。
【請求項７】
コンピュータに、
コンテンツを取得するコンテンツ取得手順と、
上記コンテンツ取得手順において取得したコンテンツの視聴開始日時を設定する視聴開始日時設定手順と、
上記視聴開始日時設定手順によって設定したコンテンツの視聴開示日時と、当該コンテンツとを対応付けてメモリに蓄積するコンテンツ蓄積手順とを実行させるコンテンツ蓄積制御プログラム。
【請求項８】
請求項７に記載のコンテンツ蓄積制御プログラムを記録したコンピュータ読み取り可能な記録媒体。
【発明の詳細な説明】
【技術分野】
【０００１】
本発明は、コンテンツの蓄積及び再生を行う情報処理装置に関する。
【背景技術】
【０００２】
近年、コンテンツをメモリに蓄積しておき、ユーザが必要に応じてメモリからコンテンツを再生するコンテンツ再生管理方法が提案されている（例えば特許文献１）。
【０００３】
今後、増加が見込まれる蓄積型コンテンツは、メモリの大容量化に伴い、コンテンツの保存件数も増加していくことが予想され、コンテンツの保存件数の増加はコンテンツの管理を煩雑にしていくことになる。
【０００４】
特に、蓄積型コンテンツの問題は、積極的に視聴する事を意識しないと大量のコンテンツが溜まってしまうことであり、本来視聴したかったコンテンツを探す手間が増加する事になる。
【０００５】
そこで、特許文献２では、蓄積したコンテンツの視聴時間をもとに空き時間にコンテンツを視聴するように働きかけることで、蓄積したコンテンツの管理が煩雑になることを防止する技術が提案されている。
【先行技術文献】
【特許文献】
【０００６】
【特許文献１】特開２００３−１５８７２１号公報（２００３年０５月３０日公開）
【特許文献２】特開２０１０-１３０１７２号公報（２０１０年０６月１０日公開）
【発明の概要】
【発明が解決しようとする課題】
【０００７】
しかしながら、特許文献２に開示されているように、蓄積したコンテンツの視聴時間をもとに空き時間にコンテンツを視聴するように働きかける場合、空き時間内にコンテンツの視聴時間が収まることが大前提であり、コンテンツの容量に左右されてしまうので、ユーザが視聴したいコンテンツを視聴することができない。つまり、特許文献２に開示された技術では、コンテンツを効率よく視聴することができなかった。
【０００８】
また、携帯電話等の携帯端末では、メモリ容量が限られるので、コンテンツの蓄積容量にも限りがあり、メモリ容量の管理を適切に行う必要がある。
【０００９】
しかしながら、従来の技術では蓄積されるコンテンツの容量を抑制するための技術があるものの、最終的にはユーザが手動で蓄積されたコンテンツを管理（削除等）しなければならず、メモリ容量を気にすることなくコンテンツを蓄積させる手立てはなかった。例えば、ユーザが視聴したいコンテンツをメモリに蓄積する場合、メモリ容量を確認しなければならず、手間がかかった。
【００１０】
本発明は、上記問題点に鑑みなされたものであり、その目的は、コンテンツの視聴が効率よく行うことができ、しかも、コンテンツを蓄積するためのメモリ容量を気にすることなく、コンテンツの蓄積を適切に行うことのできる情報処理装置を提供する。
【課題を解決するための手段】
【００１１】
本発明の情報処理装置は、コンテンツを蓄積するメモリと、
コンテンツを取得するコンテンツ取得部と、
上記コンテンツ取得部によって取得されたコンテンツの視聴開始日時を設定する視聴開始日時設定部と、
上記視聴開始日時設定部によって設定されたコンテンツの視聴開示日時と、当該コンテンツとを対応付けて上記メモリに蓄積させるコンテンツ蓄積制御部とを備えていることを特徴としている。
【００１２】
本発明のコンテンツ蓄積方法は、
コンテンツを取得するコンテンツ取得ステップと、
上記コンテンツ取得ステップにおいて取得したコンテンツの視聴開始日時を設定する視聴開始日時設定ステップと、
上記視聴開始日時設定ステップによって設定したコンテンツの視聴開示日時と、当該コンテンツとを対応付けてメモリに蓄積するコンテンツ蓄積ステップとを含んでいることを特徴としている。
【００１３】
上記の構成によれば、コンテンツの視聴開示日時と、当該コンテンツとを対応付けてメモリに蓄積させることで、ユーザは、メモリに蓄積されたコンテンツの視聴開始日時順、すなわち視聴順にコンテンツを視聴することができる。
【００１４】
これにより、メモリに大量にコンテンツが蓄積された場合であっても、蓄積されたコンテンツのなかから視聴するためのコンテンツを選び出す必要がないので、効率よくコンテンツを視聴することが可能となる。当然、コンテンツに蓄積されているコンテンツが少ない場合であっても、効率よくコンテンツを視聴することが可能となる。
【００１５】
従って、メモリに蓄積されたコンテンツの量に関わらず、常に、コンテンツを効率よく視聴することができる。
【００１６】
上記コンテンツ蓄積制御部は、
コンテンツの視聴順を、各コンテンツに対応付けられた視聴開始日時から設定し、
新たにコンテンツの視聴開示日時が設定されたとき、上記コンテンツの視聴順を調整するようにしてもよい。
【００１７】
上記の構成によれば、コンテンツの視聴順を、各コンテンツに対応付けられた視聴開始日時から設定し、新たにコンテンツの視聴開示日時が設定されたとき、上記コンテンツの視聴順を調整することで、メモリに蓄積されたコンテンツの視聴順を常にユーザの所望する視聴順にすることができる。
【００１８】
上記コンテンツ蓄積制御部は、
上記視聴開始日時設定部によって視聴開始日時が新たに設定されたコンテンツの容量が、上記メモリの蓄積残容量よりも大きいとき、上記メモリに既に蓄積されているコンテンツのうち、視聴済のコンテンツまたは視聴開始日時が少なくとも新たに設定された視聴開始日時よりも遅いコンテンツを削除することが好ましい。
【００１９】
上記構成によれば、視聴予約設定部によって視聴開始日時が新たに設定されたコンテンツの容量が、上記メモリの蓄積残容量よりも大きいとき、上記メモリに既に蓄積されているコンテンツのうち、視聴済のコンテンツまたは視聴開始日時が少なくとも新たに設定された視聴開始日時よりも遅いコンテンツを削除することで、新たに蓄積すべきコンテンツの蓄積領域を確保することが可能となる。
【００２０】
このように、新たに蓄積しようとするコンテンツの視聴開始日時から、メモリの蓄積領域が自動的に確保できるようになっているので、ユーザはメモリ容量を特に気にすることなく、コンテンツの蓄積を行うことができる。つまり、ユーザが視聴したいコンテンツをメモリに蓄積する場合、メモリ容量を確認するような手間がかからない。
【００２１】
従って、コンテンツの視聴が効率よく行うことができ、しかも、コンテンツを蓄積するためのメモリ容量を気にすることなく、コンテンツの蓄積を適切に行うことができる。
【００２２】
さらに、コンテンツの蓄積予約の設定を行うコンテンツ蓄積予約設定部を備え、
上記コンテンツ蓄積予約設定部は、
上記視聴開始日時設定部によってコンテンツの視聴開始日時が設定されると、当該コンテンツの蓄積予約の設定を行うようにするのが好ましい。
【００２３】
上記構成によれば、コンテンツの視聴開始日時の設定と、そのコンテンツの蓄積予約の設定とが連動することで、ユーザは所望するコンテンツの視聴開始日時を設定するだけで、コンテンツの蓄積予約の設定も行うことができる。
【００２４】
上記視聴開始日時設定部によって設定されたコンテンツの視聴開始日時を管理する視聴予約管理部を備え、
上記視聴予約管理部は、
コンテンツの視聴開始日時になると、ユーザに対してコンテンツの視聴開始日時になったことを報知するようにしてもよい。
【００２５】
上記の構成によれは、コンテンツの視聴開始日時になると、ユーザに対してコンテンツの視聴開始日時になったことを報知することで、ユーザに対してコンテンツの視聴を促すことができる。
【００２６】
このときコンテンツの視聴開始日時は、実際のコンテンツの視聴を開始する時間よりも前に設定されるのが好ましい。この場合の設定時間は、ユーザが報知を受けてから、コンテンツを再生するまでに要する時間であることが好ましい。
【００２７】
本発明のコンテンツ蓄積制御プログラムは、コンピュータに、
コンテンツを取得するコンテンツ取得手順と、
上記コンテンツ取得手順において取得したコンテンツの視聴開始日時を設定する視聴開始日時設定手順と、
上記視聴開始日時設定手順によって設定したコンテンツの視聴開示日時と、当該コンテンツとを対応付けてメモリに蓄積するコンテンツ蓄積手順とを実行させるプログラムである。
【００２８】
コンピュータ読み取り可能な記録媒体に、上記コンテンツ蓄積制御プログラムを記録させるようにしてもよい。
【発明の効果】
【００２９】
本発明は、コンテンツを蓄積するメモリと、コンテンツを取得するコンテンツ取得部と、コンテンツの視聴開始日時を設定する視聴開始日時設定部と、上記視聴開始日時設定部によって設定されたコンテンツの視聴開示日時と、当該コンテンツとを対応付けて上記メモリに蓄積させるコンテンツ蓄積制御部とを備えていることで、メモリに蓄積されたコンテンツの量に関わらず、常に、コンテンツを効率よく視聴することができるという効果を奏する。
【図面の簡単な説明】
【００３０】
【図１】本発明の一実施の形態に係る通信端末の概略構成ブロック図である。
【図２】図１に示す通信端末におけるコンテンツの蓄積処理の概要を説明する図である。
【図３】図１に示す通信端末におけるコンテンツ視聴開始日時設定処理の流れを示すフローチャートである。
【図４】図１に示す通信端末におけるコンテンツ視聴処理の流れを示すフローチャートである。
【発明を実施するための形態】
【００３１】
本発明の一実施の形態について説明すれば、以下の通りである。なお、本実施の形態では、本発明の情報処理装置を、通信端末に適用した例について説明する。
【００３２】
（通信端末の概要）
本実施の形態に係る通信端末は、図１に示すように、無線部１、コンテンツ取得部２、コンテンツ蓄積制御部３、記憶部（メモリ）４、表示制御部５、表示部６、操作部７、視聴予約設定部（視聴開始日時設定部）８、視聴予約管理部９、コンテンツ蓄積予約設定部１０、コンテンツ再生指示部１１、コンテンツ再生制御部１２を含んでいる。
【００３３】
上記無線部１は、アンテナを介して放送波を受信する受信手段である。
【００３４】
上記コンテンツ取得部２は、上記無線部１によって受信された放送波からコンテンツを取得するコンテンツ取得手段である。なお、本実施の形態では、上記コンテンツを、放送波によって送信された放送コンテンツ等の蓄積予約（録画予約）可能なコンテンツとして説明する。
【００３５】
上記コンテンツ蓄積制御部３は、上記コンテンツ取得部２によって取得されたコンテンツを記憶部４に蓄積させるコンテンツ蓄積制御手段である。コンテンツの記憶部４への蓄積の仕方についての詳細は後述する。
【００３６】
上記記憶部４は、上記コンテンツ取得部２によって取得されたコンテンツの蓄積するためのメモリである。この記憶部４に蓄積されたコンテンツは、必要に応じて、上記表示制御部５を介して表示部６にて再生表示される。
【００３７】
上記表示制御部５は、表示部６の表示を制御する制御手段である。具体的には、コンテンツ再生制御部１２からの再生表示指示信号に基づいて、上記記憶部４に蓄積されているコンテンツを読み出し、上記表示部６で表示可能な形式に読み出したコンテンツを変換するようになっている。
【００３８】
上記表示部６は、液晶表示パネル、有機ＥＬパネル等のフラットディスプレイパネル（ＦＤＰ）からなり、記憶部４に蓄積されたコンテンツ等を表示するようになっている。
【００３９】
上記操作部７は、ユーザの操作を受け付けて得られた操作信号を、視聴予約設定部８、コンテンツ蓄積予約設定部１０、コンテンツ再生指示部１１に対して出力するようになっている。
【００４０】
上記視聴予約設定部８は、コンテンツ取得部２によって取得したコンテンツの視聴開始日時の設定を行うようになっており、設定した視聴開始日時を、コンテンツ蓄積制御部３、視聴予約管理部９、コンテンツ蓄積予約設定部１０に送信している。
【００４１】
ここで、視聴開始日時は、ユーザが操作部７などの入力インターフェースを用いて入力され、ユーザが視聴を希望する日時となっている。
【００４２】
上記コンテンツ蓄積制御部３は、上述のように、コンテンツ取得部２によって取得したコンテンツを記憶部４に蓄積させるようになっているが、このコンテンツの蓄積を、視聴予約設定部８から受け取ったコンテンツの視聴開始日時を対応付けて行う。つまり、上記視聴予約設定部８によって設定されたコンテンツの視聴開示日時と、当該コンテンツとを対応付けて上記記憶部４に蓄積させる。
【００４３】
従って、上記記憶部４に蓄積されたコンテンツには、それぞれ視聴開始日時が設定されているので、これら視聴開始日時から、コンテンツの視聴順が設定されることになる。
【００４４】
つまり、上記コンテンツ蓄積制御部３は、コンテンツの視聴順を、各コンテンツに対応付けられた視聴開始日時から設定し、新たにコンテンツの視聴開示日時が設定されたとき、上記コンテンツの視聴順を調整するようになっている。
【００４５】
例えば、新たに蓄積しようとするコンテンツの視聴開始日時が、既に視聴予約順を設定したコンテンツの視聴開示日時よりも早い場合には、視聴順を入れ替える必要があるので、このような場合に、コンテンツ蓄積制御部３は、メモリに蓄積されたコンテンツの視聴順を調整する。
【００４６】
また、新たに視聴順の設定が行なわれたコンテンツの容量に見合う蓄積エリアを、上記記憶部４に確保する必要があるが、もし、記憶部４に蓄積エリアが確保できない場合には、蓄積エリアを確保できるようにする必要がある。
【００４７】
この処理について、コンテンツ蓄積制御部３は、以下のように行っている。
【００４８】
すなわち、コンテンツ蓄積制御部３は、上記視聴予約設定部８によって視聴開始日時が新たに設定されたコンテンツの容量が、上記記憶部４の蓄積残容量よりも大きいとき、上記記憶部４に既に蓄積されているコンテンツのうち、視聴済のコンテンツまたは視聴開始日時が少なくとも新たに設定された視聴開始日時よりも遅いコンテンツを削除することで、新たに視聴予約順が設定されたコンテンツの蓄積領域を確保する。
【００４９】
上記視聴予約管理部９は、視聴予約設定部８からのコンテンツの視聴開始日時を管理し、当該視聴開始日時になったことをユーザに報知する。
【００５０】
つまり、上記視聴予約管理部９は、管理しているコンテンツの視聴開始日時になると、ユーザに対してコンテンツの視聴開始日時になったことを報知する。
【００５１】
上記の構成によれは、コンテンツの視聴開始日時になると、ユーザに対してコンテンツの視聴開始日時になったことを報知することで、ユーザに対してコンテンツの視聴を促すことができる。
【００５２】
例えば、上記視聴予約管理部９は、視聴予約されたコンテンツの視聴開始日時になったことを示す信号を、コンテンツ再生制御部１２に送り、コンテンツ再生制御部１２からコンテンツを再生するように再生指示を出し、表示制御部５を介して表示部６にコンテンツ視聴開始日時になったことを示す内容を表示させたり、あるいは、スピーカー（図示せず）からコンテンツ視聴開始日時になったことを示す音楽を出力するようにして、ユーザに報知することが考えられる。
【００５３】
このときコンテンツの視聴開始日時は、実際のコンテンツの視聴を開始する時間よりも前に設定されるのが好ましい。この場合の設定時間は、ユーザが報知を受けてから、コンテンツを再生するまでに要する時間であることが好ましい。
【００５４】
上記コンテンツ蓄積予約設定部１０は、コンテンツの蓄積予約を行うようになっており、設定した蓄積予約を示す信号を、コンテンツ蓄積制御部３に送信している。
【００５５】
つまり、コンテンツ蓄積予約設定部１０は、上記視聴予約設定部８によってコンテンツの視聴開始日時が設定されると、当該コンテンツの蓄積予約の設定を行うようになっている。
【００５６】
上記構成によれば、コンテンツの視聴開始日時の設定と、そのコンテンツの蓄積予約の設定とが連動することで、ユーザは所望するコンテンツの視聴開始日時を設定するだけで、コンテンツの蓄積予約の設定も行うことができる。
【００５７】
なお、上記コンテンツ蓄積予約設定部１０によるコンテンツの蓄積予約は、視聴予約設定部８の視聴予約の設定と連動して行う必要はなく、独立して行うようにしてもよい。つまり、コンテンツの蓄積予約の設定を先に行い、その後で、コンテンツの視聴予約順の設定を行うようにしてもよいし、この逆であってもよい。
【００５８】
上記コンテンツ再生指示部１１は、操作部７からのコンテンツ再生指示の信号を受け付けて、コンテンツ再生指示信号をコンテンツ再生制御部１２に送る。
【００５９】
上記コンテンツ再生制御部１２は、コンテンツ再生指示信号を受け付けて、当該コンテンツの再生を行うように、表示制御部５に再生表示指示信号を送る。この後の処理については上述したので省略する。
【００６０】
（視聴予約処理の概略）
図２は、本実施の形態に係る携帯端末におけるコンテンツの視聴予約処理の概略を説明するための図である。
【００６１】
図２の（ａ）は、コンテンツＡ〜Ｃまでが既に蓄積済みで、且つ、コンテンツＡ〜Ｄまでの視聴予約順が設定されている状態の視聴予約画面を示す。この視聴予約画面は、コンテンツＢ，Ａ，Ｃ，Ｄの順で視聴開始を行うことを示している。
【００６２】
図２の（ｂ）は、図２の（ａ）に示す視聴予約を設定したときの、記憶部４内へのコンテンツの視聴開始日時（視聴予約）を設定した順番を示す蓄積イメージを示している。つまり、コンテンツＡ，コンテンツＢ，コンテンツＣの順番で視聴予約が行なわれていることになる。これは、視聴開始を行う順番ではなく、あくまでも視聴予約を行った順番で記憶部４に各コンテンツが蓄積されていることを示しているだけである。
【００６３】
なお、コンテンツＤは、現時点では、記憶部４に蓄積されておらず、視聴開始日時の設定のみが行なわれているだけなので、コンテンツＤの視聴開始日時の設定を行った時点で、コンテンツＤの容量に見合う蓄積領域を、記憶部４に確保しておく。
【００６４】
図２の（ｃ）は、図２の（ａ）の状態の視聴予約状態に、新たにコンテンツＥの視聴開示日時の設定を追加した状態の視聴予約画面を示す。コンテンツＥは、蓄積未完了であるコンテンツＤよりも早い視聴開始日時の設定が行なわれている。
【００６５】
この場合、コンテンツＥの容量に見合う蓄積領域を、記憶部４に確保する必要がある。当該記憶部４にコンテンツＥの容量に見合う蓄積領域が確保できれば、そのまま記憶部４に蓄積することが可能であるが、もし、コンテンツＥの容量に見合う蓄積領域が記憶部４に確保できなければ、図２の（ｄ）に示すように、記憶部４に蓄積領域が確保されているコンテンツＡ〜Ｄのうち、視聴開始日時（視聴予約順）が一番遅い、コンテンツＤの蓄積領域を開放して、コンテンツＥの蓄積領域に割り当てる。
【００６６】
記憶部４における蓄積領域を開放したコンテンツＤは、蓄積未完了であるので、蓄積予約を一旦削除し、他のコンテンツＡ〜Ｃ，Ｅを視聴後、相応の空き容量を確保できた段階で再度視聴予約時間前に蓄積を開始するように、蓄積予約を新たに設定する。
【００６７】
なお、図２の（ｄ）に示す例では、視聴開始日時（予約順）の一番遅いコンテンツＤの蓄積領域を開放するようにしているが、視聴済みのコンテンツがあれば、その視聴済みのコンテンツを削除することで、蓄積領域を確保するようにしてもよい。
【００６８】
また、一つのコンテンツの蓄積領域の開放だけでは、必要な蓄積領域を確保できなければ、さらに、視聴開始日時の遅いコンテンツの蓄積領域を開放するようにすればよい。このような作業を、必要な蓄積領域を確保できるまで繰り返す。
【００６９】
以上、視聴開始日時をベースとした記憶部４におけるコンテンツ蓄積管理を行い、視聴済みコンテンツあるいは新たに視聴開始日時が設定されたコンテンツよりも視聴開始日時の遅いコンテンツの蓄積領域を記憶部４から自動開放することで、記憶部４の空き容量（蓄積可能領域）を確保し、記憶部４の蓄積容量を気にすることなく蓄積型コンテンツを視聴できる環境を整えることができる。
【００７０】
ここまでの説明は、コンテンツの視聴開始日時の設定についての概略を図２を参照しながら説明した。以下では、コンテンツの蓄積処理の詳細について説明する。
【００７１】
（コンテンツ蓄積処理）
図３は、コンテンツ視聴開始日時設定処理の流れを示すフローチャートである。
ここの制御は、図１に示すコンテンツ蓄積制御部３によるものとする。
【００７２】
まず、視聴予約設定が行なわれたか否かを判断する（ステップＳ１１）。ここでは、視聴予約設定部８による視聴開始日時が設定されたか否かを視聴予約の設定判断とする。ここで、視聴予約設定が行なわれていると判断すれば、視聴予約順の確認を行う（ステップＳ１２）。視聴予約順の確認とは、コンテンツの視聴開始日時順の確認を行うことである。
【００７３】
次に、記憶部４に蓄積エリアが確保されているか否かを判断する（ステップＳ１３）。ここでは、ステップ１１にて視聴予約設定が行なわれたコンテンツの蓄積エリアが、記憶部４に確保されているか否かを判断する。ここで、蓄積エリアが確保されていないと判断されれば、ステップＳ１４に移行して、視聴予約順の入れ替えを行う。視聴予約順の入れ替えは、新たに視聴予約順の設定を行ったコンテンツと、既に視聴予約順の設定が行なわれたコンテンツとを含めて行なわれる。
【００７４】
そして、視聴予約順の遅い予約のコンテンツもしくは蓄積済みのコンテンツを記憶部４から削除する（ステップＳ１５）。ここで、記憶部４から削除するとは、未だ蓄積が完了せず、蓄積エリアだけを確保しているコンテンツも存在するので、記憶部４からコンテンツの蓄積エリアを開放することを意味する。
【００７５】
次に、コンテンツの蓄積予約設定が行なわれる（ステップＳ１６）。ここでは、上記ステップＳ１１において、コンテンツの視聴予約順が設定されたときに、当該コンテンツの蓄積予約の設定が行われるものとする。
【００７６】
その後、蓄積放送が開始されれば（ステップＳ１７）、コンテンツの蓄積を開始する（ステップＳ１８）。ここで蓄積放送とは、蓄積予約したコンテンツを示している。
【００７７】
そして、コンテンツの蓄積が完了（ステップＳ１９）すれば、処理を終了する。
【００７８】
以上が、コンテンツの視聴予約順の設定から、当該コンテンツの蓄積までの処理についての説明である。
【００７９】
次に、上記の処理によって、記憶部４に蓄積されたコンテンツの視聴処理の流れについて説明する。
【００８０】
（コンテンツ視聴処理）
図４は、コンテンツ視聴処理の流れを示すフローチャートである。ここでは、図１に示すコンテンツ再生制御部１２による制御について説明する。
【００８１】
まず、コンテンツの視聴予約時間を確認する（ステップＳ２１）。ここで、視聴予約時間に達していれば、蓄積型コンテンツ（記憶部４に蓄積されたコンテンツ）の視聴を行う（ステップＳ２２）。
【００８２】
次に、視聴コンテンツを削除するか否かを判断する（ステップＳ２３）。ここでは、ユーザが視聴済みのコンテンツを記憶部４から削除するか否かを判断する。
【００８３】
ステップＳ２３において、視聴済みのコンテンツを削除した場合、記憶部４にコンテンツ蓄積可能な蓄積エリアがあるか否かを判断する（ステップＳ２４）。ここで、コンテンツ蓄積可能な蓄積エリアがあると判断されれば、コンテンツ蓄積エリアが確保されたと判断し（ステップＳ２５）、処理を終了する。
【００８４】
一方、ステップＳ２４において、コンテンツ蓄積可能な蓄積エリアがないと判断されれば、再びステップＳ２３に移行する。
【００８５】
また、上記ステップＳ２３において、視聴済みのコンテンツを削除しない場合、ステップＳ２６に移行して、記憶部４にコンテンツ蓄積可能な蓄積エリアがないか否かを判断する。もし、ここで、記憶部４にコンテンツ蓄積可能な蓄積エリアがないと判断されれば、以降のコンテンツは記憶部４に保存できないこととし（ステップＳ２７）、処理を終了する。
【００８６】
一方、ステップＳ２６において、記憶部４にコンテンツ蓄積可能な蓄積エリアがあると判断されれば、コンテンツ蓄積エリアが確保されたと判断し（ステップＳ２５）、処理を終了する。
【００８７】
（効果）
以上のように、本実施の形態に係る携帯端末では、コンテンツの視聴予約順に、当該コンテンツを記憶部４に蓄積することで、ユーザは、メモリに蓄積されたコンテンツそれぞれに付与された視聴予約順にコンテンツを視聴することになる。
【００８８】
これにより、記憶部４に大量にコンテンツが蓄積された場合であっても、ユーザは、自分で設定した視聴予約順でコンテンツを視聴できるので、大量に蓄積されたコンテンツのなかから視聴するコンテンツを選び出す手間が省け、効率よくコンテンツを視聴することが可能となる。つまり、ユーザは、大量の蓄積したコンテンツを効率よく管理し、視聴する事が可能になる。
【００８９】
しかも、記憶部４において、新たにコンテンツを蓄積するための蓄積領域が不足していても、コンテンツの視聴予約順を利用して、視聴予約順の遅いコンテンツの蓄積領域を開放することで、必要な蓄積領域を確保することが可能となる。
【００９０】
これにより、記憶部４におけるメモリ不足を考えることなくコンテンツを蓄積することができる。特に、携帯端末のような、外部メモリではなく比較的容量の少ない内蔵メモリのみに保存する端末においては、コンテンツを蓄積するための蓄積領域に限りがあるため有効である。
【００９１】
このように、視聴予約順でコンテンツ管理をすることで、蓄積できる記憶部４におけるメモリ容量が不足した場合、視聴予約順が最後のコンテンツ（入れ替えようとするコンテンツのデータ量が大きければ、その前のコンテンツも対象となるケースもあり）と入れ替えすることにより、たえず空き領域（蓄積領域）を確保することができるため、メモリ容量を気にすることなく蓄積型コンテンツを視聴することが可能になる。
【００９２】
以上のように、本発明は、蓄積型コンテンツの視聴を行い、且つ、メモリ容量に限りのあるスマートフォンや携帯電話等の携帯端末に好適な発明である。
【００９３】
＜プログラムおよび記録媒体＞
本発明のコンテンツ蓄積制御部３における各処理は、ハードウェアロジックによって構成すればよい。又は、次のように、ＣＰＵ（Central Processing Unit）を用いてソフトウェアによって実現してもよい。
【００９４】
すなわち、コンテンツ蓄積制御部３は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【００９５】
そして、本発明の目的は、コンテンツ蓄積制御部３の各処理を実現するためのコンテンツ蓄積制御プログラムは、プログラムメモリに固定的に担持されている場合に限らず、上記プログラムのプログラムコード（実行形式プログラム、中間コードプログラム、又は、ソースプログラム）を記録した記録媒体を、上記コンテンツ蓄積制御部３に供給し、が上記記録媒体に記録されている上記プログラムコードを読み出して実行することによっても、達成可能である。
【００９６】
上記記録媒体は、特定の構造又は種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００９７】
また、コンテンツ蓄積制御部３の各処理を通信ネットワークと接続可能に構成しても、本発明の目的を達成できる。この場合、上記のプログラムコードを、通信ネットワークを介して供給する。この通信ネットワークは、コンテンツ蓄積制御部３の各処理にプログラムコードを供給できるものであればよく、特定の種類又は形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【００９８】
この通信ネットワークを構成する伝送媒体も、プログラムコードを伝送可能な任意の媒体であればよく、特定の構成又は種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００９９】
なお、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１００】
本発明は、コンテンツを蓄積するメモリ容量に限りがあり、蓄積型コンテンツを蓄積及び再生することが可能な携帯端末に好適に利用することができる。
【符号の説明】
【０１０１】
１  無線部
２  コンテンツ取得部
３  コンテンツ蓄積制御部
４  記憶部（メモリ）
５  表示制御部
６  表示部
７  操作部
８  視聴予約設定部（視聴開始日時設定部）
９  視聴予約管理部
１０  コンテンツ蓄積予約設定部
１１  コンテンツ再生指示部
１２  コンテンツ再生制御部
【図１】
2013197862.tif 000003
【図２】
2013197862.tif 000004
【図３】
2013197862.tif 000005
【図４】
2013197862.tif 000006